(57)【要約】      （修正有）【課題】乾燥条件においても環境中のハウスダスト、ダニ、花粉等に由来するアレルゲンを効率的に不活化し、環境中のものを水で濡らさない抗アレルゲン組成物を提供する。【解決手段】蒸気圧が０.１mPa/２０℃以上の有機化合物、特にフトモモ科ティーツリー、ユーカリ、イネ科レモングラス、シソ科ホワイトタイム抽出物からなる抗アレルゲン組成物、該抗アレルゲン組成物が空気中に揮散して効果を表すアレルゲン不活性化方法に関するものである。【選択図】なし【特許請求の範囲】
【請求項１】
蒸気圧が０.１mPa/２０℃以上であり、アレルゲンと反応し該アレルゲンを変性または不溶化させる有機化合物からなることを特徴とする抗アレルゲン組成物。
【請求項２】
請求項１に記載の有機化合物が植物抽出物であることを特徴とする抗アレルゲン組成物。
【請求項３】
請求項２の植物抽出物がティーツリー、ユーカリ、レモングラス、ホワイトタイムの1種または２種以上からなることを特徴とする抗アレルゲン組成物。
【請求項４】
請求項１〜３の抗アレルゲン組成物を担持させてなることを特徴とするアレルゲン不活化材料。
【請求項５】
請求項１〜３の抗アレルゲン組成物を環境中に処理することを特徴とするアレルゲン不活化方法。
【発明の詳細な説明】
【技術分野】
【０００１】
本発明は、環境中のハウスダスト、ダニ、花粉等に由来するアレルゲンを捕捉し不活性化するための、抗アレルゲン組成物、該抗アレルゲン組成物が空気中に揮散して効果を表すアレルゲン不活性化方法に関するものである。
【背景技術】
【０００２】
喘息やアトピー性皮膚炎などのアレルギー性疾患は、長年にわたり、多くの人が悩まされてきたものである。これらのアレルギー性疾患の原因物質（以下アレルゲンと称す）の代表的なものとしては、屋内に棲息するダニやペットの毛、花粉などがよく知られている。現在、アレルギー患者の治療には主に薬物療法が適用されている一方、原因物質であるアレルゲンを患者自身の生活環境から除去することも、患者をアレルゲンへの暴露から直接守るという合理的な手段である。このようなアレルゲン除去による症状改善は、日本の他、ヨーロッパやアメリカにおいても報告がなされている。
【０００３】
従来、空気清浄機のようにフィルターを用いて環境中に存在するハウスダスト、ダニ、花粉等のアレルゲンをろ過し捕集することが検討されてきている。その捕集効率を上げるために、目の細かいフィルターを用いる方法、電気的に集塵する方法が提案されているが、圧力損失が高くなる、またエネルギー的にコスト高になる等の問題がある。さらにフィルターに捕集されたアレルゲンはアレルギー活性を保持しているため、フィルターを処理するときにアレルゲンが再飛散しアレルゲンに被爆する危険性を有している。フィルターに捕集したアレルゲンを不活性化させる方法についてもいくつかの提案がある。不活性化させる方法として、高温に加熱する方法、紫外線を照射する方法等の物理的に処理する方法があり、またアレルゲンを吸着する薬剤を保持させる方法等が提案されている。例えば、（特許文献１）には捕集したアレルゲンを紫外線で不活性化させる方法、（特許文献２）にはアレルゲン物質の吸着剤として茶の抽出成分を用いた抗アレルゲンフィルター等が示されている。しかし、物理的方法では装置が複雑で大掛かりになりエネルギー消費量が高くなる等の問題がある。
【０００４】
また、アレルゲン物質のアレルギー性を低減あるいは不活性化させるための薬剤に関しても種々の提案が行われている。例えば、有機化合物を用いるアレルゲン不活化方法としては、（特許文献４）にはタンニン酸をアレルゲンの不活性化剤として使用する方法、（特許文献５）には茶抽出物、ハイドロキシアパタイト、エピカテキン、エピガロカテキン、エピカテキンガレート、エピガロカテキンガレート、没食子酸及び没食子酸と炭素数１から４までのアルコールとのエステルをアレルゲンの不活性化剤として使用する方法、（特許文献６）にはモクセイ科オリーブ属、イボタノキ属植物からなる不活性化剤が提案されている。しかし、これらのアレルゲン不活性化剤は、常温では揮散しないため、通常はその水溶液をベースとした製剤を環境中に噴霧しアレルゲンを不活性化させるもので、不活性化反応には水分が必須である。従って、このようなアレルゲン不活性化剤を使用すると環境中の物が濡れるという問題があり、空気中に揮散するアレルゲン不活化剤が望まれていた。
【０００５】
【特許文献１】特開平６−１５４２９８
【特許文献２】特開２０００−５５３１
【特許文献３】特開２００２−３２６９４４
【特許文献４】特開昭６１−４４８２１号
【特許文献５】特開平６−２７９２７３
【特許文献６】特開２００３−０５５１２２
【発明の開示】
【発明が解決しようとする課題】
【０００６】
空気中に揮散することにより、環境中のアレルゲンを不活化する抗アレルゲン組成物及び、該組成物を用いてアレルゲンを不活化する方法を提供することが、本発明の課題である。
【課題を解決するための手段】
【０００７】
本発明者は、このような課題を解決するため、鋭意研究の結果、揮散することによりアレルゲンを不活化させる抗アレルゲン組成物を見出し、本発明に至った。
【発明の効果】
【０００８】
蒸気圧が０.１mPa/２０℃以上の有機化合物、特にフトモモ科ティーツリー、ユーカリ、イネ科レモングラス、シソ科ホワイトタイム抽出物からなる組成物を用いることにより空気中においてもアレルゲンを効率的に捕捉し不活性化することが可能となった。
【発明を実施するための最良の形態】
【０００９】
本発明の抗アレルゲン組成物に用いるアレルゲン不活性化剤は２０℃における蒸気圧が０.１ｍPa以上の有機物からなり、アレルゲンを変性または水不溶化させるものであれば、特に限定されないが、植物抽出物であることが好ましい。特に好ましい植物としては、フトモモ科ティーツリー（Ｍｅｌａｌｅｕｃａ  ｓｐｐ.）、ユーカリ（Ｅｕｃａｌｙｐｔｕｓ  ｓｐｐ.）シソ科ホワイトタイム（Ｔｈｙｍｕｓ  ｓｐｐ.）イネ科レモングラス（Ｃｙｍｂｏｇｏｎ  ｓｐｐ.）等があげられる。これらの植物の葉または果実から、水または有機溶媒で抽出した抽出物を用いることもできる。抽出に適する溶媒は例えばメチルアルコール、エチルアルコール、イソプロピルアルコール、ベンジルアルコール、酢酸、アセトン、ジメチルホルムアミド、ジメチルアセトアミド、ジメチルスルホキシド、エチレングリコール、プロピレングリコール、ジエチレングリコール、トリエチレングリコール、ジプロピレングリコール、ヘキシレングリコール、ポリエチレングリコール、グリセリン、エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル、ジエチレングリコールモノエチルエーテルアセテート、γ−ブチロラクトン、スルホランなどの極性溶剤、ジメチルナフタレン、ドデシルベンゼン、流動パラフィン、イソホロン、灯油、アジピン酸ジブチル、フタル酸ジエチル、ジエチレングリコールモノブチルエーテルアセテート、プロピレンカーボネート、椰子油、菜種油、綿実油、ヒマシ油、大豆油などの非極性溶剤を適宜使用でき、これらに限定されない。
【００１０】
本発明アレルゲン不活化組成物はそのまま用いることができるが、スプレー、エアゾール、ペースト、粉剤等に製剤して用いることが好ましい。本発明の製剤化に際しては、必要に応じて溶剤、界面活性剤、キレート剤、防錆剤、バインダー、増粘剤、香料、スケール防止剤、消泡剤、帯電防止剤、柔軟加工剤等を添加することも可能である。
【００１１】
本発明組成物を使用する環境としては、カーペット、畳、床面、床カバー、ふとんなどの寝具類、ソファー、ぬいぐるみ、衣類、カーテンなど直接人と接触するもの、あるいはタンス、押し入れなどの直接人と接触するものを収納している場所の空間、あるいは家屋内の居住空間などが挙げられる。
【００１２】
アレルゲンを除去、不活性化するフィルター材またはシート等の用途に用いることができる。これらの用途は特に制限されず、例えば空気清浄機、エアコンディショナー等のフィルター、マスク、集塵袋、掃除用ワイパー等任意の用途に用いることができる。フィルター材またはシート材には、ポリエチレン、ポリプロピレン、ポリエステル、ナイロン、ポリカーボネート等のプラスチック材から成る不織布、成型した網を用いることができ、また紙、綿、麻、絹等の天然繊維、さらにガラス繊維等の無機材料を用いることも可能である。これらの材を目的に応じ適宜選択することができる。
【００１３】
本発明抗アレルゲン組成物には、屋内塵性ダニのアレルゲン除去を目的に使用する場合、殺ダニ剤と混合することにより、その効果をさらに持続させることも可能である。使用する殺ダニ剤は、屋内塵性ダニに対して致死効果や忌避効果のあるものであれば、特に限定はなく、例えば、ベンジルアルコール、ベンジルベンゾエート、サリチル酸フェニル、シンナムアルデヒド、ヒソップ油、ニンジン種子油等を用いることができ、また天然ピレトリン、フェノトリン、ペルメトリン等のピレスロイド系化合物、フェニトロチオン、マラチオン、フェンチオン、ダイアジノン等の有機リン系化合物、ジコホル、クロルベンジレート、ヘキシチアゾクス、テブフェンピラド、ピリダベン、アミドフルメット等を用いることができる。
【００１４】
本発明抗アレルゲン組成物だけではカビあるいは菌の増殖が懸念される場合がある。そのために防カビ剤または抗菌剤を本発明の抗アレルゲン組成物に配合することもしくは併用することが可能である。防カビ剤または抗菌剤の種類は防カビまたは抗菌効果を有するものであれば特に限定されないが、例えば、５−クロロ−Ｎ−メチルイソチアゾロン、メチレンビスチオシアネート、２−ブロモ−２−ニトロプロパン−１，３−ジオール、グルタルアルデヒド、ヨードプロピニルブチルカーバメート、ピリジンチオール−Ｎ−オキシドの亜鉛塩、１，２−ベンゾイソチアゾロン、１，２−ジブロモ−２，４−ジシアノブタン、グルコン酸クロルヘキシジン、２−イソプロピル−５−メチルフェノール、３−メチル−４−イソプロピルフェノール、オルトフェニルフェノール、パラオキシ安息香酸メチル、パラオキシ安息香酸エチル、パラオキシ安息香酸プロピル、パラオキシ安息香酸ブチル、パラクロロメタキシレノール、パラクロロメタクレゾール、ポリリジン、塩化ベンザルコニウム、塩化ジデシルジメチルアンモニウム、塩化セチルピリジニウム、Ｎ−ｎ−ブチルベンゾイソチアゾロン、Ｎ−オクチルイソチアゾロン、２−（４−チアゾリル）ベンズイミダゾール、２−ベンズイミダゾリルカルバミン酸メチル、テトラクロロイソフタロニトリル、ジヨードメチルパラトリルスルホン、パラクロロフェニル−３−ヨードプロパギルホルマール、２，３，５，６−テトラクロロ−４−（メチルスルホニル）ピリジン、脂肪酸グリセリンエステル、ヒノキチオール等を用いることができる。
【００１５】
本発明の使用により、ハウスダスト中のダニ由来のアレルゲン、イヌやネコなどのペットの毛や上皮、ゴキブリ、羽毛、カビ由来のアレルゲン、及び植物アレルゲンをほぼ完全に不活性化することができ、多種のアレルゲンを実質的に減少させることができる。よって本発明は、環境中のアレルゲンがハウスダスト中のダニアレルゲンや植物アレルゲンの場合に特に効果的に作用するものである。ダニには、ツメダニ、コナダニ等の種類があり、それらの内コナヒョウヒダニ  Dermatophagoides farinae 、ヤケヒョウヒダニ  Dermatophagoides pteronyssinusはダニアレルギーを引き起こす原因として重要視されている。これらのダニは、虫体そのものがダニアレルゲンになるだけでなく、ダニの死骸や糞も非常に強いアレルゲンとなる。
カビは湿度の高い場所に発生しやすく、肺に吸い込まれた場合にはアレルゲンとなる。植物アレルゲンとしては各種植物の花粉が挙げられ、花粉には、スギ、ヒノキ、ブタクサ、オオアワガエリ、ケヤキ、ヨモギ、ハルガヤ等のものがアレルギーの原因となることが知られている。
【実施例】
【００１６】
本発明を製剤例、実施例により更に詳しく説明するが、本発明がこれらによって限定されることはない。
製剤例
【００１７】
ティーツリーオイル重量５０％、イソプロピルアルコール４０重量％、エタノール重量１０％を均一に混合溶解し、不織布１m2当り１０ｇ塗布することにより、抗アレルゲンフィルターを得た。抗アレルゲン組成物実施例１〜４。
【００１８】
表に示した配合比率はすべて重量％である。
【表１】
2006068046.tif 000002
【００１９】
【表２】
2006068046.tif 000003
【００２０】
試験例１  ダニアレルゲンに対する本発明の組成物の不活性化効果の測定
【００２１】
直径６．６ｃｍの円形に切り取ったポリエステル製のフェルトに、標準ハウスダスト（ダニアレルゲンＤｅｒ２を約１０００μｇ／ｇ含有）をおよそ０．０３ｇずつのせた。それと実施例１〜４の抗アレルゲン組成物及び比較例1〜３を約２ｇを入れたガラス容器（直径３ｃｍ、高さ３ｃｍ）をプラスチック容器内（３０×４０×２０ｃｍ）にいれて容器を密閉した。２４時間、フェルトをチャック付きビニル袋に入れ、リン酸緩衝液（ｐＨ７．０、牛血清アルブミン  １５重量％含有）１０ｍＬを加えてよく揉み、ダニアレルゲンを抽出した。抽出液を遠心分離器にかけ（１２，０００rpm×６０min）、上澄み液を用い、ダニアレルゲン量の測定を行った。ダニアレルゲン量の判定には、屋内塵性ダニ簡易検査キットであるマイティチェッカー（シントーファイン株式会社製）を使用した。マイティチェッカーによるダニアレルゲン量の判定基準は、表３の通りである。また、実施例及び比較例にて製剤した抗アレルゲン剤を噴霧しない以外は同様に試験を行ったものをブランクとした。結果を表４に示した。
【００２２】
【表３】
2006068046.tif 000004
【００２３】
【表４】
2006068046.tif 000005
【産業上の利用可能性】
【００２４】
抗アレルゲン組成物を用いることにより、空気中においても各種アレルゲンを効率的に不活化することができる。また、本発明抗アレルゲン組成物を担持させたアレルゲン不活化材料はフィルター、マスク、集塵袋、掃除用ワイパー等各種用途に利用できる。